(57)【要約】【課題】風向を大きく偏向させる場合に、空気が風向左右羽根を通過するときに発生する圧力損失の増大を低減できる空気調和機を得る。【解決手段】この発明に係る空気調和機は、吹出し口２に設けられ、ファン５により発生する風の方向を吹出し口２の上下方向および左右方向へ偏向させて制御する風向制御装置７を備え、風向制御装置７は、風の方向を上下方向に偏向させる上下羽根８と、上下羽根８に対向して設けられ、上下羽根８の台座軸受け８ａを中心に回動する台座９と、台座９の面に垂直に設けられ、台座９の左右羽根軸受け９ａを中心に回動して風の方向を左右方向に偏向させる左右羽根１０とを有し、風の方向を左右方向に偏向させる際に、左右羽根１０が左右羽根軸受け９ａを中心に回動するとともに、台座９が台座軸受け８ａを中心に回動して、左右羽根１０が吹出し口２の外側方向にせり出す。【選択図】図１
2008025880.tif 000002
【特許請求の範囲】
【請求項１】
吹出し口に設けられ、ファンにより発生する風の方向を前記吹出し口の一方向およびこの一方向に垂直な他方向へ偏向させて制御する風向制御装置を備え、
前記風向制御装置は、前記風の方向を前記一方向に偏向させる一方向羽根と、
前記一方向羽根に対向して設けられ、前記一方向羽根に形成された一方向羽根回動中心部を中心に回動する台座と、
前記台座の面に垂直に設けられ、前記台座に形成された台座回動中心部を中心に回動して前記風の方向を前記他方向に偏向させる他方向羽根とを有し、
前記風の方向を前記他方向に偏向させる際に、前記他方向羽根が前記台座回動中心部を中心に回動するとともに、前記台座が前記一方向羽根回動中心部を中心に回動して、前記一方羽根回動中心部を中心に前記他方向羽根が前記吹出し口の外側方向にせり出すことを特徴とする空気調和機。
【請求項２】
前記風向制御装置は、複数の前記他方向羽根と連結して、前記他方向羽根を回動させる他方向羽根リンク機構を有し、
前記他方向羽根リンク機構は、前記一方向羽根が回動する回転軸と同軸であるとともに前記回転軸の内部を貫通した他方向羽根リンク軸を有し、
前記他方向羽根リンク軸を軸線方向に移動させることで、前記他方向羽根が回動することを特徴とする請求項１に記載の空気調和機。
【請求項３】
吹出し口に設けられ、ファンにより発生する風の方向を前記吹出し口の一方向およびこの一方向に垂直な他方向へ偏向させて制御する風向制御装置を備え、
前記風向制御装置は、前記風の方向を前記一方向に偏向させる一方向羽根と、前記風の方向を前記他方向に偏向させる他方向羽根とを一体に有し、前記吹出し口に設けられた吹出し口回動中心部を中心に回動することを特徴とする空気調和機。
【請求項４】
前記風向制御装置は、前記吹出し口に設けられた吹出し口回動中心部を中心に回動することを特徴とする請求項１に記載の空気調和機。
【請求項５】
前記他方向羽根は、前記台座に対して垂直方向の他方向羽根本体と、前記台座に対して平行方向の平行方向羽根部とを一体に有していることを特徴とする請求項１ないし請求項４の何れか１項に記載の空気調和機。
【請求項６】
前記吹出し口には、前記風の方向を前記一方向に偏向させる補助風向縦羽根が回動自在に設けられていることを特徴とする請求項１ないし請求項５の何れか１項に記載の空気調和機。
【発明の詳細な説明】
【技術分野】
【０００１】
この発明は、ファンにより発生する風の方向を偏向させて制御する風向制御装置を備えた空気調和機に関する。
【背景技術】
【０００２】
従来、吹出し口に設けられ、ファンにより発生する風の方向を上下方向および左右方向へ偏向可能な風向偏向手段を備えた空気調和機において、前記風向偏向手段は、前記吹出し口に設けられ、上下羽根回転軸を中心に回動して前記風の方向を上下方向に偏向させる上下羽根と、前記吹出し口に横方向に並べられて設けられ、左右羽根回転軸を中心に回動して前記風の方向を左右方向に偏向させる複数の左右羽根とを備えたことを特徴とする空気調和機が知られている（例えば、特許文献１参照）。
【０００３】
【特許文献１】特開２００１−５０５７９号公報
【発明の開示】
【発明が解決しようとする課題】
【０００４】
しかしながら、このものの場合、室内の隅々まで空気を送風するために、風向左右羽根を大きく回動させると、隣接する左右羽根の風向に対する垂直方向の距離が狭くなる。その結果、空気が左右羽根を通過するときに、空気の縮流が大きくなり、圧力損失が増大してしまうという問題点があった。
【０００５】
この発明は、上述のような問題点を解決することを課題とするものであって、その目的は、室内の隅々まで空気を送風するために、風向左右羽根を大きく回動させても、空気が風向左右羽根を通過するときに、圧力損失の増大を抑制することができる空気調和機を提供するものである。
【課題を解決するための手段】
【０００６】
この発明に係る空気調和機は、吹出し口に設けられ、ファンにより発生する風の方向を前記吹出し口の一方向およびこの一方向に垂直な他方向へ偏向させて制御する風向制御装置を備え、前記風向制御装置は、前記風の方向を前記一方向に偏向させる一方向羽根と、前記一方向羽根に対向して設けられ、前記一方向羽根に形成された一方向羽根回動中心部を中心に回動する台座と、前記台座の面に垂直に設けられ、前記台座に形成された台座回動中心部を中心に回動して前記風の方向を前記他方向に偏向させる他方向羽根とを有し、前記風の方向を前記他方向に偏向させる際に、前記他方向羽根が前記台座回動中心部を中心に回動するとともに、前記台座が前記一方向羽根回動中心部を中心に回動して、前記一方羽根回動中心部を中心に前記他方向羽根を前記吹出し口の外側方向にせり出す。
【発明の効果】
【０００７】
この発明に係る空気調和機によれば、室内の隅々まで空気を送風するために、風向左右羽根を大きく回動させても、空気が風向左右羽根を通過するときに、圧力損失の増大を低減することができる。
【発明を実施するための最良の形態】
【０００８】
以下、この発明の各実施の形態を図に基づいて説明するが、各図において、同一または相当の部材、部位については、同一符号を付して説明する。
本明細書では、図１の矢印Ａの方向を上下方向、紙面に垂直な方向を左右方向と呼ぶ。
実施の形態１．
図１は実施の形態１に係る空気調和機の構成図、図２は図１の風向制御装置７を示す斜視図である。
実施の形態１に係る空気調和機は、外部から空気を吸い込む吸込み口１、この吸込み口１から外部へ空気を吹き出す吹出し口２および吸込み口１と吹出し口２とを連通した送風路３を形成するケース４と、この送風路３の内部に設けられ空気の流れを発生させるファン５と、吸込み口１とファン５との間に設けられ吸込まれた空気と熱交換を行う熱交換器６と、吹出し口２に設けられ風の方向を一方向である上下方向および上下方向に垂直な他方向である左右方向に偏向させて風の方向を制御する風向制御装置７とを備えている。
【０００９】
図３に示すように、風向制御装置７は、風の方向を上下方向に偏向させる一方向羽根である上下羽根８と、上下羽根８に対向して設けられこの上下羽根８に形成された一方向羽根回動中心部である台座軸受け８ａを中心に回動する平板形状の台座９と、台座９の面に垂直に設けられこの台座９に形成された台座回動中心部である左右羽根軸受け９ａを中心に回動して風の方向を左右方向に偏向させる他方向羽根である複数の左右羽根１０とを備え、上下羽根８と左右羽根１０とは一体となっている。
【００１０】
複数の左右羽根１０は、吹出し口２の左右方向に並べられ、各左右羽根１０はヒンジ１１を介して左右羽根リンク軸１２と連結している。
左右羽根１０は左右羽根回転軸１０ａを有しており、左右羽根軸受け９ａに回動自在に保持されている。
台座９は台座回転軸９ｂを有しており、台座軸受け８ａに回動自在に保持されている。
上下羽根８は上下羽根回転軸８ｂを有しており、吹出し口２に回動自在に保持されている。
【００１１】
図４および図５に示すように、台座９には貫通したスライド孔９ｃが形成され、上下羽根８の台座９に対向した面には直線部１３ａおよび曲線部１３ｂからなるガイド溝１３が形成されている。
直線部１３ａと曲線部１３ｂとの境の部分は、スライド孔９ｃの端部とほぼ一致するように配置されている。
また、曲線部１３ｂは台座回転軸９ｂを中心とした略円弧状に形成されている。
スライド孔９ｃには、左右羽根１０と連結した台座リンク棒１４の先端部に設けられたスライド１４ａが貫通して設けられ、このスライド１４ａはガイド溝１３に沿って移動する。
図６（ａ）は左右羽根１０の向きをファン５による風の方向と同一にさせたときの風向制御装置７の平面図を示しており、左右羽根リンク軸１２の端部には、ベーンモータ１５が連結し、このベーンモータ１５の駆動により、左右羽根リンク軸１２は軸線方向に移動する。
【００１２】
次に、実施の形態１に係る空気調和機の動作について説明する。
図６（ｂ）は左右羽根１０を偏向させてスライド１４ａが直線部１３ａにあるときの風向制御装置７の平面図、図６（ｃ）は左右羽根１０を偏向させてスライド１４ａが曲線部１３ｂにあるときの風向制御装置７の平面図である。
ファン５の回転により吸込み口１から空気が吸込まれ、この空気が熱交換器６を通過する。冷房または暖房時には、熱交換器６の温度は任意温度に制御されるので、熱交換器６を通過した空気の温度は設定温度となる。
熱交換器６を通過した空気は、ファン５により風向制御装置７へ運ばれる。
風向制御装置７内に運ばれた空気は、左右羽根１０と衝突して空気の風向は左右方向に偏向され、上下羽根８と衝突して空気の風向は上下方向に偏向され、吹出し口２から吹き出される。
図６（ａ）に示す状態から、ベーンモータ１５を時計回りに回転させると、左右羽根リンク軸１２が軸線方向に左方向へ移動し、スライド１４ａがスライド孔９ｃ内を移動する。この時、スライド１４ａは、ガイド溝１３内に沿って移動するので、図６（ｂ）に示すように、スライド１４ａが直線部１３ａを移動する間は左右羽根１０の向きが偏向されるのみであり、従来の空気調和機と同様の動作である。
一方、図６（ａ）の状態から、ベーンモータ１５を反時計回りに回転させ、左右羽根リンク軸１２を軸線方向に右方向へ移動させ、スライド１４ａがスライド孔９ｃおよびガイド溝１３に沿って右方向に移動する。
図６（ｃ）に示すように、スライド１４ａが曲線部１３ｂに到達すると、台座リンク棒１４の長さが一定であるので、台座９が台座軸受け８ａを中心に反時計回りに回動し、左右羽根１０の列は、吹出し口２の外側方向にせり出す。また、左右羽根１０は、左右羽根リンク軸１２と連結しているので、左右羽根軸受け９ａを中心に反時計回りに回動する。
次に、図６（ｃ）の状態からベーンモータ１５を時計回りに回転させて、左右羽根リンク軸１２を左方向に移動させると、スライド１４ａがスライド孔９ｃ内およびガイド溝１３内に沿って移動して、台座９は台座軸受け８ａを中心に時計回りに回動する。
また、左右羽根１０は、左右羽根リンク軸１２と連結しているので、左右羽根軸受け９ａを中心に時計回りに回動し、図６（ａ）の状態に戻る。
この風向制御装置７により、左右方向に風の方向を偏向する際に、左右羽根１０が左右軸受け９ａを中心に吹出し口２の外側方向にせり出すことができ、風の方向を大きく偏向させることができる。
【００１３】
なお、ガイド溝１３には直線部１３ａおよび曲線部１３ｂを設けられ、左右羽根１０の所定の偏向角度を境に台座９の回動を開始または停止させることができる。通常、左右羽根１０とファン５との距離が近くなりすぎる場合には、騒音や圧力損失が増大するため、このような構成によって、ファン５と左右羽根１０とが近づきすぎることを防ぐことができる。その結果、騒音や圧力損失が大きくなることを防止できる。
なお、ファン５と左右羽根１０との間の距離に制約がない場合には、ガイド溝１３に直線部１３ａを設けなくてもよく、ガイド溝１３を台座９の回動動作に合わせて形成すればよい。
【００１４】
次に、実施の形態１に係る空気調和機の圧力損失について説明する。
図７（ａ）は従来装置を用いて左右羽根１０を偏向させたときの空気の流れを示す説明図、図７（ｂ）は実施の形態１に係る空気調和機を用いて左右羽根１０を偏向させたときの空気の流れを示す説明図である。ここで、従来装置に係る空気調和機における隣接した左右羽根回転軸１０ａＡおよび実施の形態１に係る空気調和機における隣接した左右羽根回転軸１０ａの間隔を同一の距離Ｌとしている。
従来例の各左右羽根１０Ａの間隔をｈ１とし、実施の形態１の各左右羽根１０の間隔をｈ２とし、左右羽根１０Ａ、１０のそれぞれの偏向角度を同一角度θ１、台座９の回転角度をθ２とすると、ｈ１＝Ｌ×ｃｏｓθ１、ｈ２＝Ｌ×ｃｏｓ（θ１−θ２）となる。当然のことながら、θ１は９０度を越えることはなく、θ１＞θ２に設定すると、ｈ１＜ｈ２となる。なお、θ１およびθ２はガイド溝１３の直線部１３ａの長さとベーンモータ１５の回転角度によって決定される。
したがって、実施の形態１の左右羽根１０では、従来例の左右羽根１０Ａの場合より風の方向を偏向する際に発生する空気の流れの縮流が抑制されるので、圧力損失の増大が抑制される。
また、実施の形態１の左右羽根１０は吹出し口２外側方向へせり出しているので、左右羽根１０により偏向された空気の流れによる吹出し口側壁２ａとの衝突を低減させ、風の方向に高い偏向性を得ることが出来る。
【００１５】
図８は図７の装置を用いたときの風の方向の偏向角と圧力損失との関係をシミュレートしたものを示した図であり、横軸が左右羽根１０の吹出し口２外側における風の方向の偏向角であり、縦軸は左右羽根１０による圧力損失である。実施の形態１の台座９の回転角度θ２は１０度である。
この図のように、圧力損失の増大を抑制し、風の方向に高い偏向性を得ることが出来る。
【００１６】
なお、図８では、台座９の回転角度θ２を１０度とした風向制御装置７について説明しているが、勿論回転角度θ２は１０度とは限らず、何度であってもよい。ただし、一般的には、回転角度θ２は１０度以下として用いられる。
【００１７】
図９（ａ）は図１の風向制御装置７を回動させて風の方向を上下方向に制御している様子を示す説明図、図９（ｂ）は図９（ａ）の風向制御装置７を収納させたときの様子を示す説明図である。
上下羽根８が上下羽根回転軸８ｂを中心に回動するので、吹出し口２から吹出される空気の風の方向は上下方向に偏向される。
また、この空気調和機の動作を停止させた場合には、収納時には、上下羽根８が吹出し口２を塞ぐことにより、吹出し口２から内部へのほこり等の汚れが入り込むのを防ぐことが出来る。
【００１８】
以上説明したように、実施の形態１に係る空気調和機によると、台座軸受け８ａを中心に台座９を回動させることで、左右羽根１０が吹出し口２の外側方向にせり出すので、左右羽根１０による圧力損失の増大を低減させることができる。
また、上下羽根８と左右羽根１０とが一体に設けられているので、風向制御装置７をコンパクトにすることができる。また、上下羽根８および左右羽根１０の寸法を大きくすることができるので、風の方向に高い偏向性を得ることができる。
【００１９】
図１０は実施の形態１の左右羽根１０の他の例を示す斜視図、図１１（ａ）は図１０の左右羽根１０の向きを風の方向と同一にしたときの平面図、図１１（ｂ）は図１１（ａ）の左右羽根１０を反時計周りに回動させたときの平面図である。
左右羽根１６は、台座９に対して垂直方向に設けられた左右羽根本体１６ａと、台座９に対して平方方向の平行羽根部１６ｂとを一体に有している。
隣り合う各平行羽根部１６ｂは台座９からの寸法がわずかにずれている。
左右羽根リンク軸１２は、ヒンジ１１を介して各左右羽根本体１６ａと連結されており、左右羽根リンク軸１２を軸線方向に移動させることで、各左右羽根１６は左右羽根軸受け９ａを中心に回動する。
【００２０】
この空気調和機によると、風向制御装置７には風の方向を上下方向に偏向させる羽根が平行羽根部１６ｂと上下羽根８との２枚設けられているので、風の方向の上下方向への制御性が向上する。
【００２１】
図１２は実施の形態１の左右羽根１０のさらに他の例を示す斜視図である。
左右羽根１７は、台座９に対して垂直方向に設けられた３枚の垂直羽根部１７ａと台座９に対して平行方向に設けられた３枚の平行羽根部１７ｂとが組み合わされたものである。
組み合わせる各羽根部の枚数は吹出し口２に収まるものであればどのような枚数であってもよい。
【００２２】
この空気調和機によると、風向制御装置７には風の方向を左右方向に偏向する垂直羽根部１７ａと上下方向に偏向する平行羽根部１７ｂとがそれぞれ複数枚設けられているので、さらに空気の風向の左右方向および上下方向への制御性が向上する。
【００２３】
図１３は実施の形態１に係る空気調和機の他の例を示す構成図である。
吹出し口２には風の方向を上下方向に偏向させる補助風向縦羽根である補助上下羽根１８が補助回転軸１８ａを介して回動自在に設けられている。
【００２４】
この空気調和機によると、風向制御装置７には上下羽根８に加えて補助上下羽根１８が設けられているので、空気の風向の上下方向の制御性が向上する。
【００２５】
なお、上記構成の空気調和機では、風向制御装置７に補助上下羽根１８が１枚設けられているとして説明したが、複数枚設けられたものであってもよい。
【００２６】
実施の形態２．
図１４は実施の形態２に係る空気調和機の上下羽根回転軸８ｂとリンク軸２１との関係を示す部分斜視図、図１５は実施の形態２に係る空気調和機の左右羽根リンク軸１２とリンク軸２１とベーンモータ１５との関係を示す平面図である。
上下羽根８の上面には、回転板１９が回転中心部１９ａを中心に回動自在に設けられている。
左右羽根リンク軸１２の端部は回転板１９にヒンジ１１を介して連結されている。
回転板１９には、回転板スライド孔１９ｂが形成されている。
上下羽根８の外部に設けられたベーンモータ１５には、回転板２０が設けられており、この回転板２０には、モータスライド孔２０ａが形成されている。
この回転板１９と回転板２０との間には他方向羽根リンク軸であるリンク軸２１が設けられており、リンク軸２１の一端部に設けられた回転板スライド２１ａは回転板スライド孔１９ｂの内部を移動可能に保持され、リンク軸２１の他端部に設けられたモータスライド２１ｂはモータスライド孔２０ａに移動可能に保持されている。
他方向羽根リンク機構は、左右羽根リンク軸１２、リンク軸２１、回転板１９、２０を有している。
【００２７】
上下羽根回転軸８ｂは図示しないベーンモータ１５により回動される。
リンク軸２１は上下羽根回転軸８ｂと同軸であり、上下羽根回転軸８ｂの内部を貫通しており、上下羽根回転軸８ｂの内部を滑らかにスライド可能となっている。
また、上下羽根回転軸８ｂ内部にあるリンク軸２１のスライド部分は平板形状となっており、上下羽根回転軸８ｂとともにリンク軸２１が回動するようになっている。
上下羽根回転軸８ｂとモータスライド２１ｂとの間のリンク軸２１には、リンク軸回転部２１ｃが設けられており、このリンク軸回転部２１ｃは周方向に回転自在となっているので、リンク軸回転部２１ｃを境にして上下羽根回転軸８ｂの回転がモータスライド２１ｂには伝達されない。
その他の構成は実施の形態１と同様である。
【００２８】
次に、実施の形態２に係る空気調和機の動作について説明する。
ベーンモータ１５によりリンク軸２１を移動させると、リンク軸２１は上下羽根回転軸８ｂ内をスライドする。このとき、図示しないベーンモータにより上下羽根回転軸８ｂを回動させると、上下羽根８とともにリンク軸回転部２１ｃより左右羽根１０側のリンク軸２１が回動して、上下羽根８と左右羽根１０との相対位置は変化しない。
上下羽根回転軸８ｂが回動しても、リンク軸回転部２１ｃよりベーンモータ１５側のリンク軸２１は回動しないので、ベーンモータ１５は風向制御装置７の外部に固定することができる。
【００２９】
実施の形態２に係る空気調和機によると、ベーンモータ１５を風向制御装置７の外部に配置することができるので、風向制御装置７の重さが軽くなり、小さなトルクで風向制御装置７を駆動させることができる。その結果、ベーンモータ１５の小型化が可能となり、さらに吹出し口２内の構造の簡単化が可能となる。
また、図１６に示すように、左右羽根リンク軸１２を回転板１９から切り離すことで、左右羽根１０を吹出し口２の外側へ大きく出すことができる。その結果、吹出し口２の内部および左右羽根１０を簡単に掃除することができる。
【００３０】
なお、実施の形態２に係る空気調和機では、実施の形態１に係る空気調和機の他の例に示したように、左右羽根１０の形状を変形させたものであってもよい。
【００３１】
実施の形態３．
図１７は実施の形態３に係る空気調和機の一使用態様を示す構成図、図１８は図１７の空気調和機の別の使用態様を示す説明図である。
実施の形態３に係る空気調和機では、吹出し口２の上面には吹出し口回動中心部である制御装置軸受け２２が設けられており、風向制御装置７に設けられた制御装置回転軸２３を介して、風向制御装置７は吹出し口２に回動自在に保持されている。
その他の構成は実施の形態１と同様である。
【００３２】
風向制御装置７が吹出し口２に設けられた制御装置軸受け２２を中心に上下方向に回動し、吹出し口２の外側へ突出する。その結果、上下羽根８を大きく偏向することができ、風の方向を上下方向に大きく偏向させることができる。
【００３３】
実施の形態３に係る空気調和機によると、上下羽根８および左右羽根１０を一体化させるとともに、風向制御装置７を吹出し口２に設けられた制御装置軸受け２２を中心に上下方向に回動するので、風向制御装置７をコンパクトにしつつ、風の方向を大きく偏向させることができる。
【００３４】
なお、図１９に示すように、制御装置軸受け２２が吹出し口２の下面に設けられ、制御装置回転軸２３を中心に風向制御装置７は吹出し口２に回動自在に保持されたものであってもよい。
【００３５】
また、実施の形態３に係る空気調和機は、実施の形態１に係る空気調和機の他の例に示したように、左右羽根１０の形状を変形させたものであってもよい。
【００３６】
また、上記各実施の形態では、一方向を上下方向、他方向を左右方向として説明したが、勿論このものに限らず、一方向と他方向が互いに垂直の関係であればよい。
【００３７】
また、上記各実施の形態では、図４および図５に示すように、台座９には貫通したスライド孔９ｃが形成され、上下羽根８の台座９に対向した面には直線部１３ａおよび曲線部１３ｂからなるガイド溝１３が形成され、スライド孔９ｃには、左右羽根１０と連結した台座リンク棒１４の先端部に設けられたスライド１４ａが貫通して設けられ、このスライド１４ａはガイド溝１３に沿って移動することで、左右羽根１０が吹出し口２の外側にせり出すとして説明したが、勿論このものに限らず、上下羽根８にはガイド溝１３を形成せず、台座回転軸９ｂにベーンモータを取り付けて、台座９を回動させて左右羽根１０が吹出し口２の外側にせり出してもよい。
【図面の簡単な説明】
【００３８】
【図１】実施の形態１に係る空気調和機の構成図である。
【図２】図１の風向制御装置を示す斜視図である。
【図３】図２の左右羽根回転軸と左右羽根軸受け、台座回転軸および台座軸受けとを示す斜視図である。
【図４】図２のガイド溝、スライドおよびスライド孔を示す平面図である。
【図５】図２のガイド溝、スライドおよびスライド孔を示す斜視図である。
【図６】図６（ａ）は左右羽根をファンによる風の方向と同一にさせたときの風向制御装置の平面図、図６（ｂ）は左右羽根を偏向させてスライドが直線部にあるときの風向制御装置の平面図、図６（ｃ）は左右羽根を偏向させてスライドが曲線部にあるときの風向制御装置の平面図である。
【図７】図７（ａ）は従来装置を用いて左右羽根を偏向させたときの空気の流れを示す説明図、図７（ｂ）は実施の形態１に係る空気調和機を用いて左右羽根を偏向させたときの空気の流れを示す説明図である。
【図８】図７の装置を用いたときの風の方向の偏向角と圧力損失との関係をシミュレートしたものを示した図である。
【図９】図９（ａ）は図１の風向制御装置を回動させて風の方向を上下方向に制御している様子を示す説明図、図９（ｂ）は図９（ａ）の風向制御装置を収納したときの様子を示す説明図である。
【図１０】実施の形態１に係る左右羽根の他の例を示す斜視図である。
【図１１】図１１（ａ）は図１０の左右羽根本体の向きを風の方向と同一にしたときの平面図、図１１（ｂ）は図１１（ａ）の左右羽根本体を反時計周りに回動させたときの平面図である。
【図１２】実施の形態１に係る左右羽根のさらに他の例を示す斜視図である。
【図１３】実施の形態１に係る空気調和機の他の例を示す構成図である。
【図１４】実施の形態２に係る空気調和機の上下羽根回転軸とリンク軸との関係を示す斜視図である。
【図１５】実施の形態２に係る空気調和機の左右羽根リンク軸とリンク軸とベーンモータとの関係を示す平面図である。
【図１６】図１５の左右羽根リンク軸を回転板から切り離したときの平面図である。
【図１７】実施の形態３に係る空気調和機の一使用態様を示す構成図である。
【図１８】図１７の空気調和機の別の使用態様を示す構成図である。
【図１９】図１９（ａ）は実施の形態３の他の例の一使用態様を示す構成図、１９（ｂ）は図１９（ａ）の別の使用態様を示す構成図である。
【符号の説明】
【００３９】
１  吸込み口、２、２Ａ  吹出し口、２ａ、２ａＡ  吹出し口側壁、３  送風路、４  ケース、５  ファン、６  熱交換器、７  風向制御装置、８  上下羽根、８ａ  台座軸受け、８ｂ  上下羽根回転軸、９  台座、９ａ  左右羽根軸受け、９ｂ  台座回転軸、９ｃ  スライド孔、１０、１０Ａ  左右羽根、１０ａ、１０ａＡ  左右羽根回転軸、１１  ヒンジ、１２  左右羽根リンク軸、１３  ガイド溝、１３ａ  直線部、１３ｂ  曲線部、１４  台座リンク棒、１４ａ  スライド、１５  ベーンモータ、１６  左右羽根、１６ａ  左右羽根本体、１６ｂ  平行羽根部、１７  左右羽根、１７ａ  垂直羽根部、１７ｂ  平行羽根部、１８  補助上下羽根、１８ａ  補助回転軸、１９  回転板、１９ａ  回転中心部、１９ｂ  回転板スライド孔、２０  回転板、２０ａ  モータスライド孔、２１  リンク軸、２１ａ  回転板スライド、２１ｂ  モータスライド、２１ｃ  リンク軸回転部、２２  制御装置軸受け、２３  制御装置回転軸、３０  気流の方向を表す矢印、３１  上下羽根の回動を表す矢印、３２  台座の回動を表す矢印。
【図１】
2008025880.tif 000003
【図２】
2008025880.tif 000004
【図３】
2008025880.tif 000005
【図４】
2008025880.tif 000006
【図５】
2008025880.tif 000007
【図６】
2008025880.tif 000008
【図７】
2008025880.tif 000009
【図８】
2008025880.tif 000010
【図９】
2008025880.tif 000011
【図１０】
2008025880.tif 000012
【図１１】
2008025880.tif 000013
【図１２】
2008025880.tif 000014
【図１３】
2008025880.tif 000015
【図１４】
2008025880.tif 000016
【図１５】
2008025880.tif 000017
【図１６】
2008025880.tif 000018
【図１７】
2008025880.tif 000019
【図１８】
2008025880.tif 000020
【図１９】
2008025880.tif 000021